(57)【要約】【課題】遺体や人が敷物上に仰臥している状態のままでその洗髪を簡易且つ確実に行うことのできる洗髪ボウルを提供する。【解決手段】遺体や人が仰臥している敷物３上に設置される洗髪ボウル１であり、上端開放で有底の洗髪用空所９が設けられてなるボウル本体１０を具える。ボウル本体１０は、壁部１６ａに首部収容凹部２２が設けられ、洗髪用空所９の底面２３に、頭部２５を水平状態で支持する枕部２６を有する。頭部２５と底面２３との間に、洗髪のために手を挿入させ得る下挿入空所が設けられ、首部２０と首部収容凹部２２の側面部との間に、洗髪のために手を挿入させ得る横挿入空所が設けられる。洗髪用空所９に設けられている吸引式の排水部２７ａの吸引部７２が底面２３に近接した状態で底面２３上の洗髪廃液を吸引する。【選択図】図７
2016034465.tif 000002
【特許請求の範囲】
【請求項１】
遺体や人が仰臥している敷物上に設置される洗髪ボウルであって、
上端開放で有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が設けられると共に、前記洗髪用空所に、頭部を支持する枕部が設けられており、
又、前記洗髪用空所に、洗髪廃液を排水するための排水部が設けられていることを特徴とする洗髪ボウル。
【請求項２】
遺体や人が仰臥している敷物上に設置される洗髪ボウルであって、
上端開放で有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が設けられると共に、該底面に、頭部を支持する枕部が設けられており、
該頭部と前記底面との間に、洗髪のために手を挿入させ得る下挿入空所が設けられる如くなされると共に、前記首部と前記首部収容凹部の側面部との間に、洗髪のために手を挿入させ得る横挿入空所が設けられる如くなされており、
又、前記洗髪用空所に吸引式の排水部が設けられ、該吸引式の排水部の先端をなし且つ前記底面上にある洗髪廃液を吸引する吸引部が、前記底面に近接状態にあり、乃至近接可能に設けられていることを特徴とする洗髪ボウル。
【請求項３】
遺体や人が仰臥している敷物上に設置される洗髪ボウルであって、
上端開放で有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が設けられると共に、該底面に、頭部を支持する枕部が設けられており、
該頭部と前記底面との間に、洗髪のために手を挿入させ得る下挿入空所が設けられる如くなされると共に、前記首部と前記首部収容凹部の側面部との間に、洗髪のために手を挿入させ得る横挿入空所が設けられる如くなされており、
又、前記洗髪用空所に吸引式の排水部が設けられると共に前記底面に、該底面を流下した洗髪廃液を流入させる窪み部が設けられ、該吸引式の排水部の先端側部分が該窪み部に収容されており、乃至収容可能となされており、該吸引式の排水部の先端をなす吸引部が該窪み部内の洗髪廃液を吸引することを特徴とする洗髪ボウル。
【請求項４】
前記吸引式の排水部は、その先端をなす吸引部が、前記底面に近接した下向き状態と、該吸引部が上を向いた上向き状態との間で回動可能となされていることを特徴とする請求項２記載の洗髪ボウル。
【請求項５】
前記吸引式の排水部は、その先端をなす吸引部が、前記底面に近接した下向き状態と、該吸引部が上を向いた上向き状態との間で回動可能となされていることを特徴とする請求項３記載の洗髪ボウル。
【請求項６】
前記排水部が、前記首部収容凹部が設けられている前側の壁部と対向する後側の壁部寄りの下端部分に設けられると共に、前記底面が、その前側からその後側に向けて下方に傾斜していることを特徴とする請求項１、２又は４記載の洗髪ボウル。
【請求項７】
前記吸引部による吸引は、前記窪み部における水深が基準水深以上の時に水位検知器のオン検知信号を受けてポンプが稼動することにより開始される一方、該基準水深よりも低い状態にあっては該水位検知器のオフ検知信号を受けて該ポンプの稼働が停止し、該吸引が停止状態となる如く構成されていることを特徴とする請求項３又は５記載の洗髪ボウル。
【請求項８】
遺体や人が仰臥している敷物上に設置される洗髪ボウルであって、
上端開放で有底の洗髪用空所が設けられなるボウル本体を具え、該ボウル本体は、その壁部の所要部位において且つ該洗髪用空所の底面よりも上側に位置させて、上端が開放して首部を収容させる首部収容凹部が設けられると共に、前記洗髪用空所に、頭部を支持する枕部が設けられており、
又、前記壁部の下端部分及び／又は前記枕部の下端部分に、排水路が横向きに設けられており、該排水路が廃液収容タンクに連設される如くなされていることを特徴とする洗髪ボウル。
【請求項９】
遺体や人が仰臥している敷物上に設置される洗髪ボウルであって、
上端開放で有底の洗髪用空所が設けられなるボウル本体を具え、該ボウル本体は、その壁部の所要部位において且つ該洗髪用空所の底面よりも上側に位置させて、上端が開放して首部を収容させる首部収容凹部が設けられると共に、前記洗髪用空所に、頭部を支持する枕部が設けられており、
前記底面に設けられた排水孔に横向きの排水路が設けられており、該排水路が廃液収容タンクに連設される如くなされていることを特徴とする洗髪ボウル。
【請求項１０】
前記ボウル本体の上縁部分の上面の、前記首部収容凹部を除いた部分が、洗髪時において前腕を支持する前腕支持部となることを特徴とする請求項１〜９の何れかに記載の洗髪ボウル。
【請求項１１】
前記洗髪用空所を構成する前記ボウル本体は、前記洗髪用空所を構成する容体部と、該容体部を構成する内壁部の上端で外方に向けて屈曲する上端張出し部と、該上端張出し部の先端で下方に向けて屈曲して前記内壁部を取り囲む外壁部とを具え、該外壁部の下端は前記容体部の底部の下面よりも稍下方に突出しており、該突出した下方突出部分が前記敷物の上面部に食い込み状態となることを特徴とする請求項１〜１０の何れかに記載の洗髪ボウル。
【請求項１２】
前記首部収容凹部の下部と前記枕部の上面がクッション性を有する樹脂素材で構成されていることを特徴とする請求項１〜１１の何れかに記載の洗髪ボウル。
【請求項１３】
前記首部収容凹部の下部の上面と前記枕部の上面が、クッション性を有する樹脂素材からなるカバー部材でカバーされることを特徴とする請求項１〜１１の何れかに記載の洗髪ボウル。
【請求項１４】
遺体や人が仰臥している敷物上に設置される遺体用洗髪ボウルであって、
上端が開放され且つ有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が、該壁部をその上端から下方に向けて円弧状乃至Ｕ字状に凹ませて設けられると共に、前記洗髪用空所の底面に、頭部を支持する枕部が設けられており、
前記ボウル本体は、前記洗髪用空所を構成する容体部と、該容体部を構成する内壁部の上端で外方に向けて屈曲する上端張出し部と、該上端張出し部の先端で下方に向けて屈曲して前記内壁部を取り囲む外壁部とを具え、該外壁部の下端は前記容体部の底部の下面よりも稍下方に突出しており、該突出した下方突出部分が前記敷物の上面部に食い込み状態となる如く構成されており、
前記外壁部の外面部の周方向で見た形状は、平面視で角丸の正方形状を呈しており、前記首部収容凹部は、前記ボウル本体の壁部の正方形状の一辺をなす前側の壁部において、前記上端張出し部と前記内壁部と前記外壁部とを下方に向けて円弧状乃至Ｕ字状に凹ませて設けられており、
前記頭部と前記底面との間に、洗髪のために手を挿入させ得る下挿入空所が設けられる如くなされると共に、前記首部と前記首部収容凹部の側面部との間に、洗髪のために手を挿入させ得る横挿入空所が設けられる如くなされており、
又、前記ボウル本体の上縁部分の上面の、前記首部収容凹部を除いた部分が、洗髪時において前腕を支持する前腕支持部となる如く構成されており、
又、前記洗髪用空所の、前記前側の壁部と対向する後側の壁部寄りの下端部分の左右方向中央部位に吸引式の排水部が設けられており、該吸引式の排水部は、その先端をなす吸引部が前記底面に近接した下向き状態と、該吸引部が上を向いた上向き状態との間で回動可能となされ、該下向き状態で、該吸引部が前記底面上にある洗髪廃液を吸引することを特徴とする洗髪ボウル。
【請求項１５】
遺体を棺内に納めるに先立って、該遺体が敷物上に仰臥したままの状態で該遺体の洗髪を行うことを特徴とする納棺方法。
【請求項１６】
遺体を棺内に納めるに先立って、請求項１〜１４の何れかに記載の洗髪ボウルを用いて、該遺体が敷物上に仰臥したままの状態で該遺体の洗髪を行うことを特徴とする納棺方法。
【発明の詳細な説明】
【技術分野】
【０００１】
本発明は、遺体や人の洗髪を簡易且つ確実に行うことを可能とする洗髪ボウルに関するものであり、又、遺体を棺内に納めるに先立って遺体の洗髪を行う納棺方法に関するものである。
【背景技術】
【０００２】
遺体を棺内に納める納棺方法の一例が特許文献１で開示されている。この納棺方法は、遺体の状態に応じて、遺体の損傷を修復すること、及び、遺体の損傷が進行するのを抑制することの少なくともいずれかを施す納棺準備工程と、遺体を棺内に寝かせる工程と、棺内にドライアイスを収容する工程を具えるものであり、これによって、遺体の状態に応じて納棺前の損傷を修復したり遺体の損傷が進行するのを抑制し仏衣を着せることで、遺族らが故人を見送る際、遺体を見たり遺体に触れたりしやすくせんとするものであった。
【０００３】
しかしながら、特許文献１が開示する納棺方法は、その納棺準備工程が、遺体の損傷を修復することと遺体の損傷が進行するのを抑制することだけの準備工程であって、納棺に先立って洗髪することについては記載がない。僅かに、段落００２４に「髪を整える」と記載されているだけである。そのため特許文献１記載の納棺方法によるときは、遺体の頭皮や毛髪の清潔を保ち難い問題があった。
【０００４】
ところで、特許文献２は湯灌槽を開示しており、該湯灌槽は、遺体の頭部を洗い清めるための洗髪槽を有している。そのため、該湯灌槽を利用すれば、遺体を棺内に納めるに先立って洗髪を行うことができる。かかる湯灌槽を用いる湯灌は、遺体を網目状の担架に安置した状態で該担架を湯灌槽の頂部に懸架し、この状態で、貯湯タンクから供給される湯水を遺体に浴びせ遺体全体を洗い清め、この際に、遺体の頭部を洗い清めた湯水を洗髪槽で受けるものであった。
【０００５】
かかる構成の湯灌槽を用いれば洗髪を行うことが可能であり、このように頭部を洗い清めることにより、遺体の頭皮や毛髪の清潔を保つことができた。しかしそのためには、前記のように、網目状の担架に遺体を安置した後、該担架を湯灌槽の頂部に懸架し、この状態で湯水を遺体に浴びせて遺体全体の洗い清めを行うという大掛かりな作業を必要としたため、湯灌コストが高くつく問題があった。又湯灌槽が大きいために、作業を行うに必要な広いスペ−スを確保しなければならないが、このスペース確保ができないために該湯灌槽を用いて所要の湯灌を行うことができない場合もあり、加えて、かかる湯灌は長時間を要する問題もあった。
【先行技術文献】
【特許文献】
【０００６】
【特許文献１】特開２００９−１１４２０３号公報
【特許文献２】特開２０１１−２５１００２号公報
【発明の概要】
【発明が解決しようとする課題】
【０００７】
本発明は、主として前記従来の問題点に鑑み、湯灌を行うほどのコストを掛けることなく遺体の清潔を保持せんとして、又、湯灌におけるような広いスペ−スを要することなく遺体の清潔を保持せんとして、加えて、湯灌に比して作業時間を短縮しつつも遺体の清潔を保持せんとして開発されたものである。
【０００８】
そのために本発明は、外部に露出する遺体の頭部の清潔に着眼し、洗髪工程を含む納棺方法の提供を課題とするものであり、又、遺体や人が敷物上に仰臥している状態のままでその洗髪を簡易且つ確実に行うことを可能とする洗髪ボウルの提供を課題とするものである。
【課題を解決するための手段】
【０００９】
前記課題を解決するため、本発明は以下の手段を採用する。
即ち本発明に係る洗髪ボウルは、遺体や人が仰臥している敷物上に設置される洗髪ボウルであって、上端開放で有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が設けられると共に、前記洗髪用空所に、頭部を支持する枕部が設けられており、又、前記洗髪用空所に、洗髪廃液を排水するための排水部が設けられていることを特徴とするものである。
【００１０】
本発明に係る洗髪ボウルのより好ましい態様は、遺体や人が仰臥している敷物上に設置される洗髪ボウルであって、上端開放で有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が設けられると共に、該底面に、頭部を支持する枕部が設けられている。そして、該頭部と前記底面との間に、洗髪のために手を挿入させ得る下挿入空所が設けられる如くなされると共に、前記首部と前記首部収容凹部の側面部との間に、洗髪のために手を挿入させ得る横挿入空所が設けられる如くなされている。又、前記洗髪用空所に吸引式の排水部が設けられ、該吸引式の排水部の先端をなし且つ前記底面上にある洗髪廃液を吸引する吸引部が、前記底面に近接状態にあり、乃至近接可能に設けられていることを特徴とするものである。
【００１１】
本発明に係る洗髪ボウルのより好ましい他の態様は、遺体や人が仰臥している敷物上に設置される洗髪ボウルであって、上端開放で有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が設けられると共に、該底面に、頭部を支持する枕部が設けられている。そして、該頭部と前記底面との間に、洗髪のために手を挿入させ得る下挿入空所が設けられる如くなされると共に、前記首部と前記首部収容凹部の側面部との間に、洗髪のために手を挿入させ得る横挿入空所が設けられる如くなされている。又、前記洗髪用空所に吸引式の排水部が設けられると共に前記底面に、該底面を流下した洗髪廃液を流入させる窪み部が設けられ、該吸引式の排水部の先端側部分が該窪み部に収容されており、乃至収容可能となされており、該吸引式の排水部の先端をなす吸引部が該窪み部内の洗髪廃液を吸引することを特徴とするものである。
【００１２】
吸引式の排水部を有する前記の各洗髪ボウルにおいて、該吸引式の排水部を、その先端をなす吸引部が、前記底面に近接した下向き状態と、該吸引部が上を向いた上向き状態との間で回動可能となすのがよい。
【００１３】
前記吸引部を、前記首部収容凹部が設けられている前側の壁部と対向する後側の壁部の下端部分に設けると共に、前記底面を、その前側からその後側に向けて下方に傾斜する如く構成するのがよい。
【００１４】
窪み部が設けられている前記洗髪ボウルにおいて、前記吸引部による吸引は、前記窪み部における水深が基準水深以上の時に水位検知器のオン検知信号を受けてポンプが稼動することにより開始される一方、該基準水深よりも低い状態にあっては、該水位検知器のオフ検知信号を受けて該ポンプの稼働が停止し、該吸引が停止状態となる如く構成するのがよい。
【００１５】
本発明に係る洗髪ボウルのその他の態様は、遺体や人が仰臥している敷物上に設置される洗髪ボウルであって、上端開放で有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が設けられると共に、前記洗髪用空所に、頭部を支持する枕部が設けられている。又、前記壁部の下端部分及び／又は前記枕部の下端部分に、排水路が横向きに設けられており、該排水路が廃液収容タンクに連設される如くなされていることを特徴とするものである。
【００１６】
本発明に係る洗髪ボウルのその他の態様は、遺体や人が仰臥している敷物上に設置される洗髪ボウルであって、上端開放で有底の洗髪用空所が設けられなるボウル本体を具え、該ボウル本体は、その壁部の所要部位において且つ該洗髪用空所の底面よりも上側に位置させて、上端が開放して首部を収容させる首部収容凹部が設けられると共に、前記洗髪用空所に、頭部を支持する枕部が設けられている。又、前記底面に設けられた排水孔に横向きの排水路が設けられており、該排水路が廃液収容タンクに連設される如くなされていることを特徴とするものである。
【００１７】
前記の各洗髪ボウルにおいて、前記ボウル本体の上縁部分の上面の、前記首部収容凹部を除いた部分が、洗髪時において前腕を支持する前腕支持部となる如く構成するのがよい。
【００１８】
前記の各洗髪ボウルにおいて、前記洗髪用空所を構成する前記ボウル本体を、前記洗髪用空所を構成する容体部と、該容体部を構成する内壁部の上端で外方に向けて屈曲する上端張出し部と、該上端張出し部の先端で下方に向けて屈曲して前記内壁部を取り囲む外壁部とを具え、該外壁部の下端は前記容体部の底部の下面よりも稍下方に突出したものとし、該突出した下方突出部分が前記敷物の上面部に食い込み状態となる如く構成するのがよい。
【００１９】
前記の各洗髪ボウルにおいて、前記首部収容凹部の前記下部と前記枕部の上面をクッション性を有する樹脂素材で構成するのがよい。
【００２０】
前記の各洗髪ボウルにおいて、前記首部収容凹部の前記下部の上面と前記枕部の上面が、クッション性を有する樹脂素材からなるカバー部材でカバーされる如く構成するのがよい。
【００２１】
本発明に係る洗髪ボウルのより好ましい態様は、遺体や人が仰臥している敷物上に設置される遺体用洗髪ボウルであって、上端が開放され且つ有底の洗髪用空所が設けられてなるボウル本体を具え、該ボウル本体は、その壁部の所要部位において且つ該洗髪用空所の底面よりも上側に位置させて、上端が開放して首部を収容させる首部収容凹部が、該壁部をその上端から下方に向けて円弧状乃至Ｕ字状に凹ませて設けられると共に、前記洗髪用空所の底面に、頭部を支持する枕部が設けられている。そして、前記ボウル本体は、前記洗髪用空所を構成する容体部と、該容体部を構成する内壁部の上端で外方に向けて屈曲する上端張出し部と、該上端張出し部の先端で下方に向けて屈曲して前記内壁部を取り囲む外壁部とを具え、該外壁部の下端は前記容体部の底部の下面よりも稍下方に突出しており、該突出した下方突出部分が前記敷物の上面部に食い込み状態となる如く構成されている。又、前記外壁部の外面部の周方向で見た形状は、平面視で角丸の正方形状を呈しており、前記首部収容凹部は、前記ボウル本体の壁部の正方形状の一辺をなす前側の壁部において、前記上端張出し部と前記内壁部と前記外壁部とを下方に向けて円弧状乃至Ｕ字状に凹ませて設けられており、前記頭部と前記底面との間に、洗髪のために手を挿入させ得る下挿入空所が設けられる如くなされると共に、前記首部と前記首部収容凹部の側面部との間に、洗髪のために手を挿入させ得る横挿入空所が設けられる如くなされている。又、前記ボウル本体の上縁部分の上面の、前記首部収容凹部を除いた部分が、洗髪時において前腕を支持する前腕支持部となる如く構成されており、又、前記洗髪用空所の、前記前側の壁部と対向する後側の壁部寄りの下端部分の左右方向中央部位に吸引式の排水部が設けられており、該吸引式の排水部は、その先端をなす吸引部が前記底面に近接した下向き状態と、該吸引部が上を向いた上向き状態との間で回動可能となされ、該下向き状態で、該吸引部が前記底面上にある洗髪廃液を吸引することを特徴とするものである。
【００２２】
本発明に係る納棺方法は、遺体を棺内に納めるに先立って、該遺体が敷物上に仰臥したままの状態で該遺体の洗髪を行うことを特徴とするものである。
【００２３】
本発明に係る納棺方法のより好ましい態様は、遺体を棺内に納めるに先立って、前記した洗髪ボウルの何れかを用いて、該遺体が敷物上に仰臥したままの状態で該遺体の洗髪を行うことを特徴とするものである。
【発明の効果】
【００２４】
本発明は以下の如き優れた効果を奏する。
(1) 本発明によるときは、遺体や人を極力動かすことなく、仰臥状態のままで洗髪できる利点がある。これによって、遺体や人に極力負担を掛けることなく、その洗髪を簡易且つ確実に行うことができる。特に遺体を対象とする場合は、納棺の作業性向上と納棺費用の低減を期し得ると共に、省スペ−スを図って洗髪でき、しかも作業時間の短縮にも寄与し得る。
【００２５】
(2) 本発明に係る洗髪ボウルを、洗髪のために手を挿入させ得る下挿入空所と横挿入空所が設けられる如く構成する場合は、頭部の下側部分や頭部の側面部分を洗髪する際、ドライヤーを掛ける際、タオルで頭髪の水分を拭き取る際等において、頭部を持ち上げたり頭部を横向きにしたりする作業を極力行わないで済む。これによって、遺体の場合は、その損傷を極力生じさせることなくこれらの作業を容易且つ確実に行うことができる。
【００２６】
(3) 前記吸引式の排水部の先端をなす吸引部を前記洗髪用空所の底面に近接状態にして洗髪廃液を吸引除去する構成を採用する場合は、該底面に洗髪廃液が極力残らないようにしかも効率的に排水できる。
【００２７】
このように該底面に洗髪廃液が極力残らないように排水できることから、前記枕部の高さを極力低く設定できることとなり、従って、洗髪時における頭部を水平状態乃至それに近い状態に保持できることとなり、遺体や人を、自然な寝ている状態に保持しながら洗髪できることとなる。かかることから、特に遺体の場合は、頭部を上向きの傾斜状態に不自然に屈曲させて見栄えを悪化させることがなく、又、遺体の損傷を招きにくい。
【００２８】
(4) 前記洗髪用空所の底面に、該底面を流下した洗髪廃液を流入させる窪み部を設け、前記吸引式の排水部の先端側部分を該窪み部に収容可能とするときは、前記吸引部と前記底面との間の水深も無くすことが可能となる。
【００２９】
この際、前記吸引部による廃液吸引を、前記窪み部における水深が基準水深以上の時に水位検知器のオン検知信号を受けてポンプが稼働することにより開始できる一方、基準水深よりも低い状態にあっては、該水位検知器のオフ検知信号を受け該ポンプの稼働が停止、該吸引が停止状態となる如く構成するときは、ポンプのオン・オフを自動制御できることとなる。
【００３０】
(5) 前記吸引式の排水部を、その先端をなす吸引部が前記底面に近接した下向き状態と、該吸引部が上を向いた上向き状態との間で回動可能とするときは、該吸引式の排水部を下向き状態とすることにより、前記のように洗髪廃液を吸引できる。そして、該下向き状態で前記吸引部が前記底面に近接状態となることから、該底面に洗髪廃液が殆ど残らない状態にして洗髪を行うことができる。又、該上向き状態とすることにより、該吸引部を覆うフィルター部の掃除やフィルターの交換を容易に行うことができる。
【００３１】
前記排水部を、前記首部収容凹部が設けられている前側の壁部と対向する後側の壁部寄りの下端部分に設けると共に、該底面が、その前側からその後側に向けて下方に若干傾斜する如く構成するときは、前記底面に近接状態にある吸引部の下側近傍にはある程度の水位があったとしても、前側の底面部分には水位がほとんどない状態となすことが可能となる。これによって、洗髪された髪の毛が洗髪廃液に漬かるのを防止でき、ドライヤ−掛けも確実に行うことができる等、洗髪が不良となるのを防止できる。
【００３２】
(6) 前記ボウル本体の壁部の下端部分及び／又は前記枕部の下端部分に、排水路を横向きに設け、該排水路が廃液収容タンクに連設される如く構成するときは、前記底面上の洗髪廃液を自然流下により該廃液収容タンクに流入させることができる。
【００３３】
(7) 前記ボウル本体の上縁部分の上面の、前記首部収容凹部を除いた部分を前腕支持部とする場合は、頭髪に対するシャンプー掛けやシャワー洗髪、頭部の持ち上げ、タオルによる頭部の水分の拭き取り、髪の毛の乾燥等の各種作業時において、洗髪を行う作業者がその前腕を該前腕支持部に支持させることによって、作業を安定的に楽に行うことができる。
【００３４】
(8) 前記ボウル本体の容体部を構成する内壁部を外壁部で取り囲むように構成し、該外壁部の下端を該容体部の底部の下面よりも稍下方に突出させ、該突出した下方突出部分が前記敷物の上面部に食い込み状態となるように構成する場合は、該食い込み状態となることによって洗髪ボウルを敷物上でより安定化させることができる。
【００３５】
(9) 前記首部収容凹部の下部と前記枕部の上面をクッション性樹脂素材で構成し、或いは、該下部の上面と該枕部の上面を、クッション性樹脂素材からなるカバー部材でカバーする如く構成する場合は、前記首部収容凹部の下部で首部の下面部が支持される場合において該下部で首部が支持されている状態や、前記枕部で頭部が支持されている状態に極力無理を掛けない利点がある。
【００３６】
(10)前記ボウル本体の外壁部の外面部の周方向で見た外形を、平面視で正方形状を呈する左右対称の形態に構成する場合は、部屋における、遺体や人の仰臥している場所によらず、作業者が、洗髪ボウルの右側或いは左側の適切な場所にて簡易且つ確実に洗髪できる利点がある。
【図面の簡単な説明】
【００３７】
【図１】本発明に係る洗髪ボウルを示す斜視図である。
【図２】それに設けられている吸引式の排水部と、これに連結される吸引管を示す斜視図である。
【図３】吸引式の排水部が設けられていない状態の洗髪ボウルを前側から見た斜視図である。
【図４】その後側から見た斜視図である。
【図５】その下側から見た斜視図である。
【図６】敷物上において仰臥状態にある遺体の頭部が洗髪ボウルに収容されている状態を示す斜視図である。
【図７】その断面図である。
【図８】敷物に仰臥状態にある遺体の頭部が枕で支持されている状態を示す斜視図である。
【図９】処理装置を示す斜視図である。
【図１０】頭部にシャワ−洗髪を施している状態を示す斜視図である。
【図１１】下挿入空所と横挿入空所を説明する説明図である。
【図１２】底面が傾斜状態にある場合における洗髪廃液の吸引状態を示す説明図である。
【図１３】頭髪にシャンプ−掛けをしている状態を示す斜視図である。
【図１４】両前腕を前腕支持部に支持させて頭部を持ち上げる場合を示す説明図である。
【図１５】頭髪の水分を拭き取っている状態を示す斜視図である。
【図１６】頭髪にドライヤー掛けをしている状態を示す斜視図である。
【図１７】吸引式の排水部の上向き状態を示す断面図である。
【図１８】水平管状の吸引式の排水部の先端の吸引部で洗髪廃液を吸引する場合の問題点を説明する説明図である。
【図１９】洗髪用空所の底面に、洗髪廃液を流入させる窪み部を設けた場合を示す断面図である。
【図２０】洗髪用空所の底面上の洗髪廃液を自然流下により廃液収容タンクに流入させるように構成した場合の一例を示す断面図である。
【図２１】洗髪用空所の底面上の洗髪廃液を自然流下により廃液収容タンクに流入させるように構成した場合の他の例を示す断面図と平面図である。
【図２２】洗髪用空所の底面上の洗髪廃液を自然流下により廃液収容タンクに流入させるように構成した場合のその他の例を示す断面図である。
【発明を実施するための形態】
【実施例１】
【００３８】
図１〜５は、遺体用に応用された洗髪ボウル１を示すものであり、該洗髪ボウル１は、遺体２が敷布団やマットレス等の敷物（例えば敷布団３ａ）３上に仰臥したままの状態（図６〜７に示す状態）でも遺体の洗髪を簡易且つ確実に行うことを可能とする。
【００３９】
該遺体用の洗髪ボウル１は、図６に示すように、遺体２が仰臥している敷布団３ａ上において、図８に示すように頭部２５を支えている枕５に替えて設置される。この際、図６〜７に示すように、該敷布団３ａ上の該頭部２５側に防水シ−ト６を敷き、該防水シ−ト６上に洗髪ボウル１を設置するのがよい。
【００４０】
該洗髪ボウル１の具体的な構成は図１〜５に示すように、上端７が開放され且つ有底の洗髪用空所９が設けられてなるボウル本体１０を具え、該ボウル本体１０には、図９に示す処理装置１３に組み込まれたポンプ（図示せず）の吸引作用によって洗髪廃液を吸引する吸引管１１の端部１２（図１〜２）が連結される。該処理装置１３には、ポンプの稼動によってシャワーヘッド１４（図９〜１０）に湯水を供給するシャワー装置と、前記洗髪用空所９内の洗髪廃液をポンプで吸引排水する吸引排水装置とが組み込まれている。本実施例においては、該処理装置１３の高さは４００ｍｍ程度と低く設定されており、該シャワー装置は節水型のものであり、シャワーヘッド１４からは細い湯水が噴出する如くなされ、シャワー噴出面１５を図１０に示すように頭皮に接近状態にして湯水を噴出させ、髪の毛や頭皮の汚れを洗い流すようになされている。そして本実施例においては図１０に示すように、該シャワ−ヘッド１４に設けられている把手部１８を片手で持つように構成されており、該把手部１８に、前記シャワ−装置をオン・オフさせるためのスイッチ２４ａ（図９）が設けられている。該シャワーヘッド１４は、その不使用時においては図９に一点鎖線で示すように、処理装置１３の掛具２８に掛けられた状態に収容されると共に、洗髪時には、該シャワーヘッド１４に連結されている送水管８を所要長さに引出し可能となされている。
【００４１】
そして前記ボウル本体１０は、図１、図３〜５、図６〜７に示すように、その壁部１６の所要部位に、上端１７が開放し且つ下部１９で遺体２の首部２０の下面部２１（図６〜７）を支持し得る首部収容凹部２２が設けられている。該下部１９が該下面部２１を必ず支持するとは限らず、該下面部２１が該下部１９から浮き上がることもあるが、以下の実施例においては、該下部１９が該下面部２１を支持する場合について説明する。該首部収容凹部２２は、該壁部１６を、その上端から下方に向けて円弧状乃至Ｕ字状に凹ませて設けられており、該首部収容凹部２２の底面２３よりも上側に位置させて設けられている。従って該下部１９は、該底面２３の上方に位置されている。又、図１、図３〜４に示すように、前記洗髪用空所９の底面２３に、該下部１９で首部２０（図６〜７）の下面部２１が支持されてなる遺体の頭部２５を水平状態で支持する枕部２６が突出状態に設けられている。ここに水平状態とは、見た目で水平を呈する状態を言い、厳密な水平を意味するものではなく、若干上向き状態で支持されたり、若干下向き状態で支持される場合を含む。なお、前記下部１９や前記枕部２６上に適宜タオル等を載せて頭部２５を水平状態に支持する場合も、枕部２６が頭部２５を水平状態で支持することに該当する。そして前記洗髪用空所９に、図１で示すように、排水部２７が設けられている。該排水部２７は、本実施例においては吸引式の排水部２７ａとして構成されている。
【００４２】
これをより具体的に説明すれば、図１、図７において、前記ボウル本体１０は、前記洗髪用空所９を構成する容体部２９と、該容体部２９を構成する内壁部３０の上端３１で外方に向けて屈曲する上端張出し部３２と、該上端張出し部３２の先端３４で下方に向けて屈曲し且つ前記内壁部３０を取り囲む外壁部３３とを具えている。該ボウル本体１０の前記洗髪用空所９の深さは、洗髪時にシャンプ−の泡や水が飛散しにくく、又、ヘアドライ時に髪の毛が周辺に飛散しにくいように設定される。
【００４３】
そして本実施例においては、図５、図７、図１１に示すように、該外壁部３３の下端３５は前記容体部２９の底部３６の下面３７よりも稍下方に突出しており（例えば３〜１０ｍｍ程度、好ましくは５ｍｍ程度突出しており）、該突出した下方突出部分３９が、図７に示すように、前記防水シ−ト６と前記敷布団３ａからなる敷物３の上面部４０に食い込み状態となる如く構成され、本実施例においては、この状態で、該下面３７が敷物３の上面部４０に接した状態となるように構成されている。このように該下方突出部分３９が該上面部４０に食い込み状態となることによって、洗髪ボウル１を敷物３上でより安定化させ得る。
【００４４】
かかる構成を有する外壁部３３の外面部４１の周方向で見た形状は、本実施例においては図１に示すように、平面視で角丸（角丸部分を図１において符号４２で示す）の正方形状を呈しており、前記首部収容凹部２２は、前記ボウル本体１０の壁部１６の正方形状の一辺をなす前側の壁部１６ａにおいて、前記上端張出し部３２と前記内壁部３０と前記外壁部３３とを下方に向けて円弧状に凹ませて設けられている。そして、前記内壁部３０の内面部４３も角張った部分を有していない。
【００４５】
又、かかる構成を有するボウル本体１０は、本実施例においては、一枚板状の合成樹脂シ−ト（軽量で、ある程度の強度を有する樹脂素材を用いるのがよい）を例えば真空成形により屈曲させて構成されている。そのため該ボウル本体１０は、汚れが付着し易い繋ぎ目がなく、洗髪ボウル１の清潔を保てる。又、外壁部３３の外面部４１にも内壁部３０の内面部４３にも角張った部分がないことから、洗髪時において、該内面部４３で怪我をする恐れがない。そして、用いる樹脂の色としては、付着した髪の毛や血液、体液が目立ちにくいように茶系色等の適宜色を選択する。特に光沢を持たせることで、付着した白髪を目立ちにくくなし得る。
【００４６】
そして、前記頭部２５と前記底面２３との間に、例えば図１１、図７、図１０に示すように、洗髪のために手を挿入させ得る下挿入空所４５が設けられる如くなされると共に、例えば図１０〜１１に示すように、前記首部２０と前記首部収容凹部２２の側面部４６との間に、洗髪のために手を挿入させ得る横挿入空所４７が設けられる如くなされている。
【００４７】
本実施例においては図１、図３〜４、図７、図１１に示すように、前記ボウル本体１０の内壁部３０の内面部４３には、前記首部収容凹部２２と前記枕部２６とが存する前部分４９（図４）を除いて、上下２段に段差部５０が設けられており、該段差部５０のリブ作用によって前記内壁部３０が補強されている。なお、該段差部５０は、該段差部５０における水切りを良好とするために、内方に向けて下方に稍傾斜した傾斜面として形成するのがよい。
【００４８】
又、前記枕部２６の上面５１は、図４、図１１に示すように、左右方向線を含む垂直面内で円弧状に湾曲されており、前記頭部２５を安定的に支持できるように、又、頭部２５を左右に傾けた場合にも安定しやすいようになされている。そして該枕部２６は、図４に示すように、前記前側の壁部１６ａの内面部５４に一連に連なって設けられており、その上面の前側部分５２は、前方に向けて上方に円弧状に傾斜する円弧状面として構成されている。
【００４９】
又、前記洗髪用空所９の底面２３は略水平面状を呈しており本実施例においては図１２に示すように、後方に向けて下方に若干傾斜している。そして該洗髪用空所９は、下端から上端に向けて稍拡大するように構成されている。
【００５０】
又図１に示すように、前記ボウル本体１０の上縁部分の上面（本実施例においては、前記上端張出し部３２の上面）５９の、前記首部収容凹部２２を除いた部分６０が、洗髪時において前腕６１を支持する前腕支持部６２となるように構成されている。例えば図１０、図１３〜１６に示すように、頭髪に対するシャンプ−掛け（図１３）やシャワ−洗髪（図１０）、頭部の持ち上げ（図１４）、タオルによる頭髪の水分の拭き取り（図１５）、頭髪の乾燥（図１６）等の各種作業時において、正座姿勢や立膝姿勢、膝立姿勢等の適当姿勢で洗髪を行う作業者がその前腕６１を該前腕支持部６２に支持させることによって、作業を安定的に楽に行うことができる。
【００５１】
又、図１〜２、図７、図１２に示すように、前記洗髪用空所９の、前記前側の壁部１６ａと対向する後側の壁部１６ｂ寄りの下端部分の左右方向中央部位に、前記吸引式の排水部２７ａが設けられている。本実施例においては図１に示すように、前記後側の壁部１６ｂ寄りの下端部分の左右方向中央部位に設けられた取付け孔６３（図３）に固定される水平管部６５の内端部６６に、垂直面内で回転可能の前記吸引式の排水部２７ａが設けられている。そして該水平管部６５は、図２、図７に示すように、前記外壁部３３の後側壁部６７の下端部分に設けた欠切部６９（図４〜５）を通して、その外端連結部７０が該外壁部３３から後方に稍突出しており、該突出した外端連結部７０に、前記処理装置１３（図９）から延びる前記吸引管１１の端部１２（図２）が着脱可能に連結されている。
【００５２】
かかる構成を有する吸引式の排水部２７ａは、図７、図１２に示すような、その先端をなす吸引部７２が前記底面２３に近接した下向き状態７３と、図１７に示すような、該吸引部７２が上を向いた上向き状態７５との間で回動可能となされている。該下向き状態７３を呈したとき、本実施例においては図７、図１２に示すように、該吸引部７２と前記底面２３との間に１〜５ｍｍ程度の間隔、例えば３ｍｍ程度、好ましくは２ｍｍ程度の間隙が生ずるようになされている。
【００５３】
そして該下向き状態７３（図７）で、前記シャワーヘッド１４に設けられているスイッチ２４ｂ（図９）がオンされて前記ポンプが稼働することにより、前記底面２３上にある洗髪廃液が順次吸引され、従って、該底面２３上に水深が殆どない状態となし得る。本実施例においては図１２に示すように、前記底面２３が、その前側からその後側に向けて下方に若干傾斜しているため、前記吸引部７２の下側近傍には１〜５ｍｍ程度の水位があったとしても（例えば３ｍｍ程度の水位があったとしても）、前側の底面部分２３ａには水位が殆どない状態となすことが可能となる。これによって、洗髪された髪の毛が洗髪廃液に漬かるのを防止でき、後述のドライヤ−掛けも確実に行うことができ、洗髪が不良となるのを防止できる。
【００５４】
本発明においては、前記吸引式の排水部２７ａの先端をなす吸引部７２を前記底面２３に近接状態に設けることとしているため、前記枕部２６の高さを低くしても洗髪後の髪の毛が、底面２３に残留する洗髪廃液に漬かりにくい。そして、このように枕部２６を低くできる結果、遺体の頭部２５を、図７で示すように、枕で支持されているのと略同様の自然な水平状態に保持できることとなる。即ち、頭部２５が枕部２６で水平状態に支持されている図７に示す状態は、頭部２５が枕５で水平状態に支持されている図８に示す状態と略同様である。
【００５５】
そして本実施例においては、前記吸引式の排水部２７ａを、下向き状態７３（図７、図１２）と上向き状態７５（図１７）との間で回動可能としているため、これを図７、図１２に示すように下向き状態７３とすることにより洗髪廃液の吸引が可能である。該下向き状態で、前記吸引部７２が前記底面２３に近接状態となることから、前記のように、該底面２３に洗髪廃液が殆ど残らない状態にして洗髪を行うことができる。又、前記上向き状態７５（図１７）とすることにより、該吸引部７２が上を向くため、該吸引部７２を覆うフィルタ−部の掃除やフィルタ−の交換を容易に行うことができる。
【００５６】
ここで、前記吸引式の排水部２７ａを下向き状態７３にして前記吸引部７２を前記底面２３に近接状態として洗髪廃液を吸引することの利点をより詳しく説明する。本発明に係る洗髪ボウル１は図７に示すように、敷物３上に設置されるものであるため、理美容用の洗髪台のように、ボウル本体１０の底部３６に排水口を設けて下方に向けて洗髪廃液を排水するということができない。そのために本実施例においては図７に示すように、吸引式の排水部２７ａの先端をなす吸引部７２を前記底面２３に近接状態にして洗髪廃液を吸引除去することとしている。このように吸引部７２を底面２３に近接状態にして吸引するため、ボウル本体１０の底部３６に排水口を設けて下方に向けて排水することができないといった問題点を解決できながら、該底面２３に洗髪廃液が極力残らないように排水できる。これによって、前記枕部２６の高さを極力低く設定でき、従って、洗髪時における遺体の頭部を水平状態に支持でき、遺体を、仰臥している自然な状態に維持しながら洗髪できることとなる。かかることから、頭部２５を上向きの傾斜状態に不自然に屈曲させて見栄えを悪化させることがなく、又、遺体の損傷を招きにくい。
【００５７】
なお、前記吸引部７２を前記底面２３に近接状態とするのではなく、該吸引部７２の高さを前記底面２３からより高く設定したとすれば、次のような問題が生ずることとなる。例えば図１８に示すように、前記吸引式の排水部２７ａを水平管状に構成し、その先端の吸引部７２が洗髪廃液を吸引する如く構成したとすれば、前記底面２３における水深が高くならざるを得ないために、洗髪された髪の毛が洗髪廃液に漬からないようにするためには、前記枕部２６の高さをより高くしなければならなくなる。前記のように本発明に係る洗髪ボウル１は、遺体２が仰臥している敷物３上において、枕に替えて設置されるものであるため、前記枕部２６の高さがこのように高くなると、図１８に示すように、遺体の頭部２５がその先端側が高くなる屈曲状態になってしまい、洗髪状態の見栄えが悪くなってしまうために好ましくない。又、遺体に負担を掛けることにもなるために好ましくない。但し本発明には、図１８に示すような態様となる場合も含まれる。
【００５８】
又、前記洗髪ボウル１によるときは、前記のように下挿入空所４５や横挿入空所４７が設けられるため（図１１）、該下挿入空所４５と該横挿入空所４７に手を挿入させることにより、頭部の下面部分２５ａ（図１１）や頭部の側面部分２５ｂ（図１１）を洗髪する際、ドライヤーを掛ける際、タオルで頭髪の水分を拭き取る際等において、頭部を持ち上げたり頭部を横向きにしたりする作業を極力行わないで済む。これによって、遺体の損傷を極力生じさせることなく、これらの作業を容易且つ確実に行うことができる。
【００５９】
なお本実施例においては、図１等に示すように、前記ボウル本体１０の外壁部３３の外面部４１の周方向で見た形状が平面視で正方形状を呈しており、左右対称の形態を有している。そのため、部屋における、遺体や人の仰臥している場所によらず、作業者が、洗髪ボウルの右側或いは左側の適切な場所にて簡易且つ確実に洗髪できる利点がある。
【実施例２】
【００６０】
本発明は、前記実施例で示したものに限定されるものでは決してなく、「特許請求の範囲」の記載内で種々の設計変更が可能であることはいうまでもない。その一例を挙げれば次のようである。
【００６１】
(1) 本発明に係る洗髪ボウル１は、前記した遺体用としての他、介護用途等、人の洗髪に用いることも可能である。
【００６２】
(2) 図１９（Ａ）は、前記底面２３を流下した洗髪廃液を流入させる窪み部７９を設け、前記吸引式の排水部２７ａの先端側部分８０を該窪み部（例えば１０ｍｍ程度の深さを有する）７９に収容させた状態を示している。このように構成すれば、図１２において示す前記吸引部７２と前記底面２３との間の水深も無くすことが可能となる利点がある。特に図１９（Ｂ）は、該吸引式の排水部２７ａを前記した下向き状態７３（図１２）と前記上向き状態７５（図１７）との間で回動可能とした場合を示している。
【００６３】
このように吸引排水部２７の先端側部分８０を窪み部７９に収容させる場合は、吸引部７２による廃液吸引を、該窪み部７９における水深が基準水深以上の時に、水位検知器のオン検知信号を受けてポンプが稼動することにより開始できるように構成する一方、基準水深よりも低い状態にあっては、該水位検知器のオフ検知信号を受けて該ポンプの稼働が停止することにより該吸引が停止状態となる如く構成することができる。これにより、ポンプのオン・オフを自動制御できることとなる。
【００６４】
(3) 本発明において、遺体や人が敷物上に仰臥しているとは、床面や畳面に敷いた敷物上に仰臥している場合の他、ベッドの上面やストレッチャ−の上面等のある程度の高さを有する面に設置された敷物上に仰臥している場合を含むものである。
【００６５】
(4) 図２０は、前記壁部１６の下端部分に排水路２７ｂ（本発明に係る排水部２７の一種）を横向きに設け、該排水路２７ｂを、廃液収容タンク８３の上端開口８４又は側部開口に連設した状態を示している。該廃液収容タンク８３は、前記敷物３から外れた畳面や床面等の下の段の上面８５に設置することができ、該上面８５と敷物３の上面部４０との間の落差で、前記底面２３上の洗髪廃液を自然流下により該廃液収容タンク８３に流入させるようになされている。該排水路２７ｂは、該自然流下に支障がなければ、前記壁部１６の下端部分の適宜部位に設けてよく、又、前記横向きとは、水平状態の横向きの他、斜め下方向きの横向きであってもよい。
【００６６】
図２１は、前記枕部２６の下端部分に排水路２７ｃ（本発明に係る排水部２７の一種）を横向きに設けた場合を示すものであり、該排水路２７ｃを、前記内壁部３０と外壁部３３との間の空間部８７（図２１（Ｂ）、図５）に這わせたホ−ス８９に連結し、該ホ−スの端部を、前記と同様の廃液収容タンク８３（図２０）に連設した状態を示している。これによって、図２０における場合と同様にして、前記下の段の上面８５と敷物３の上面部４０との間の落差で、前記底面２３上の洗髪廃液を自然流下により該廃液収容タンク８３に流入させることができる。該排水路８２は、前記自然流下に支障がなければ、前記枕部２６の下端部分の適宜部位に設けてよく、又、前記横向きとは、水平状態の横向きの他、斜め下方向きの横向きであってもよい。
【００６７】
図２２は、前記洗髪用空所９の前記底面２３の所要部位（例えば、後側の壁部寄りの下側部分の左右方向中央部位）に設けられた排水孔２７ｄ（本発明の排水部２７の一種）に横向きの排水路９２を設け、該排水路９２を、図２０に示すと同様の廃液収容タンク８３の上端開口又は側部開口に連設した状態を示している。これによって、図２０における場合と同様にして、前記下の段の上面８５と敷物３の上面部４０との間の落差で、前記底面２３上の洗髪廃液を自然流下により該廃液収容タンク８３に流入させることができる。なお、この場合も、前記ボウル本体１０の容体部２９を構成する内壁部３０を外壁部３３で取り囲むように構成し、該外壁部３３の下端を該容体部２９の底部３６の下面３７よりも稍下方に突出させ、該突出した下方突出部分３９が前記敷物３の上面部４０に食い込み状態となるように構成しているため、該下方突出部分３９が該上面部４０に食い込み状態となることによって、前記下面３７が該上面部４０に当接しなくても、洗髪ボウル１を敷物３上で安定化させることができる。
【００６８】
図２０〜２２に係る洗髪ボウルにおいては、前記と同様にして、前記頭部２５と前記底面２３との間に、例えば図１１、図７、図１０に示すと同様に、洗髪のために手を挿入させ得る下挿入空所４５が設けられる如くなされると共に、例えば図１０〜１１に示すように、前記首部２０と前記首部収容凹部２２の側面部４６との間に、洗髪のために手を挿入させ得る横挿入空所４７が設けられる如くなされている。
【００６９】
なお前記排水路２７ｂ，２７ｃは、前記壁部１６の下端部分及び前記枕部２６の下端部分の双方に設けることもできる。特に、遺体や人がベッド上やストレッチャー上等の高い位置で仰臥状態にあるときは、前記廃液収容タンク８３の容積を大きくすることができる。又、前記排水孔２７ｄが設けられる前記底面２３には、例えば図１９に示されている窪み部７９の底面２３ａも該当する。
【００７０】
(5) 前記排水部２７、前記吸引式の排水部２７ａを設ける部位や前記排水路２７ｂ，２７ｃ，前記排水孔２７ｄを設ける部位は、前記底面２３上の洗髪廃液を良好に排水できる限り、制約はない。
【００７１】
(6) 前記首部収容凹部２２の前記下部１９で首部が支持されている状態や前記枕部２６の上面５１で頭部が支持されている状態に極力無理がかからないようにするため、前記首部収容凹部２２の前記下部１９と前記枕部２６の前記上面５１を、ウレタン樹脂等のクッション性を有する樹脂素材で構成することもできる。或いは、該首部収容凹部２２の前記下部１９と前記枕部２６の前記上面５１を、ウレタン樹脂等のクッション性を有する樹脂素材からなるカバ−部材で同時に又は個別にカバ−するように構成することもできる。
【００７２】
(7) 前記ボウル本体１０は、前記外壁部３３を具えない一重壁構造に構成されることもある。
【００７３】
(8) 前記ボウル本体１０の前記壁部１６の外面部の周方向で見た形状は、これが前記敷物３上に設置されて頭部２５を洗髪するに支障のないものであれば、前記した平面視で角丸の正方形状を呈するものには特定されず、平面視で円形状や楕円形状、長方形状等の他の形態を呈するものであってもよい。ここにボウル本体１０の前記壁部１６の外面部とは、該ボウル本体１０の前記壁部１６が前記内壁部３０と前記外壁部３３とからなる二重壁構造である場合は、前記したように該外壁部３３の外面部４１が該当するが、該壁部１６が前記一重壁構造である場合はその外面部が該当する。
【００７４】
(9) 前記首部収容凹部２２の形態は、首部２０を無理なく収容でき且つ頭部２５の洗髪に支障を生じさせないものであれば、前記した円弧状やＵ字状を呈するものの他、台形状等の他の形態を呈するものであってもよい。
【００７５】
(10)遺体や人がベッド上やストレッチャー上等の高い位置で仰臥状態にあるときも、頭部２５の洗髪を行う作業者が、前屈姿勢等でその前腕６１を前記前腕支持部６２に支持させることにより、その洗髪を安定的に楽に行うことができる。
【００７６】
(11)前記外壁部３３に設けられている前記下方突出部分３９は省略してもよい。
【００７７】
(12)前記枕部２６は、前記ボウル本体１０の前記前側の壁部１６ａの内面部５４等の前記内面部４３に設けられて、前記底面２３から浮き上がった状態とされることもある。
【００７８】
(13)前記枕部２６で頭部２５が支持された状態で、首部２０が前記首部収容凹部２２の下部１９から浮き上がった状態となることもある。
【符号の説明】
【００７９】
１  洗髪ボウル
２  遺体
３  敷物
５  枕
６  防水シ−ト
９  洗髪用空所
１０  ボウル本体
１１  吸引管
１６  壁部
１６ａ  前側の壁部
１６ｂ  後側の壁部
１９  下部
２０  首部
２２  首部収容凹部
２３  底面
２５  頭部
２６  枕部
２７  排水部
２７ａ  吸引式の排水部
２７ｂ  排水路
２７ｃ  排水路
２７ｄ  排水孔
２９  容体部
３０  内壁部
３２  上端張出し部
３３  外壁部
３９  下方突出部分
４１  外面部
４５  下挿入空所
４７  横挿入空所
６２  前腕支持部
７９  窪み部
８３  廃液収容タンク
【図１】
2016034465.tif 000003
【図２】
2016034465.tif 000004
【図３】
2016034465.tif 000005
【図４】
2016034465.tif 000006
【図５】
2016034465.tif 000007
【図６】
2016034465.tif 000008
【図７】
2016034465.tif 000009
【図８】
2016034465.tif 000010
【図９】
2016034465.tif 000011
【図１０】
2016034465.tif 000012
【図１１】
2016034465.tif 000013
【図１２】
2016034465.tif 000014
【図１３】
2016034465.tif 000015
【図１４】
2016034465.tif 000016
【図１５】
2016034465.tif 000017
【図１６】
2016034465.tif 000018
【図１７】
2016034465.tif 000019
【図１８】
2016034465.tif 000020
【図１９】
2016034465.tif 000021
【図２０】
2016034465.tif 000022
【図２１】
2016034465.tif 000023
【図２２】
2016034465.tif 000024